(57)【特許請求の範囲】
【請求項１】
介護用排泄物処理装置における排泄物受け具であって、
装着者の臀部側に位置する底板部と、該底板部から立ち上がる軸断面コ字形の前板部と、該前板部の上端部に接合して一体化され且つ装着者の腹部側に位置する蓋部とを有する排泄物受けカップと、
前記排泄物受けカップを装着者の股間部に固定する装着固定部材とを備え、
前記底板部は、排泄物を受ける受け皿状貯留部を有し、
前記蓋部は、前記底板部より大きい面積を有して前記底板部と対向するシートを含み、
前記シートは、装着者の肌に液漏れしないように貼り付く粘着性を有して該装着者の腹部に密着させることができるように構成され、
前記装着固定部材は、装着者の臀部から腹部を包み込むに足りる長さ及び幅を有する単一の帯状に成形された
ことを特徴とする介護用排泄物処理装置における排泄物受け具。
【請求項２】
前記装着固定部材における長さ方向の中央部には、装着者の臀部より広い面積を有するパッド部を設けた
請求項１に記載の介護用排泄物処理装置における排泄物受け具。
【請求項３】
前記パット部は弾性を有する
請求項２に記載の介護用排泄物処理装置における排泄物受け具。
【請求項４】
前記装着固定部材における長さ方向の両端部には、止着位置を変更できる止着部材が設けられた
請求項２又は３の何れかに記載の介護用排泄物処理装置における排泄物受け具。
【請求項５】
前記パッド部に凹部を設け、
該凹部内に前記排泄物受けカップの底板部を着脱自在に固定した
請求項２乃至４の何れかに記載の介護用排泄物処理装置における排泄物受け具。
【請求項６】
前記シートが前記装着固定部材とは別体で形成された
請求項１乃至５の何れかに記載の介護用排泄物処理装置における排泄物受け具。
【請求項７】
前記装着固定部材は、広げられた状態において、装着の足側が短辺となり、装着者の頭側が前記短辺と平行な長辺となる台形をなす
請求項１乃至６の何れかに記載の介護用排泄物処理装置における排泄物受け具。
【請求項８】
前記蓋部の中央部には、外側に膨出する皿状の膨隆部が形成され、
該膨隆部の延出方向の先端部には複数の通気小孔が設けられた
請求項１乃至７の何れかに記載の介護用排泄物処理装置における排泄物受け具。
【発明の詳細な説明】
【技術分野】
【０００１】
本発明は、介護用排泄物処理装置における排泄物受け具に関する。
【背景技術】
【０００２】
一人で排尿や排便をすることができない寝たきり老人や身動きが不自由な重度の身体障害者等の要介護者は年々増え続けている。
【０００３】
そして、このような要介護者の排尿や排便を自動的に処理するための介護用排泄物処理装置が種々案出され、実用化されている。
【０００４】
また、斯かる介護用排泄物処理装置の基本的な構成は、概ね図７及び図８に示す通りである。
【０００５】
図７及び図８において、１００は要介護者の股間部にあてがう、底板部の受け皿状貯留部に排泄物検知センサ１０１を設け、前板部に下部から順に汚物吸引口と、洗浄水噴射口と、送風吹き出し口を設けた排泄物受け具である。１０２は機器収納ボックスであり、１０３、１０４、１０５は前記排泄物受け具１００と前記機器収納ボックス１０２内に備えた各機器とを連結するホースであり、該１０３は汚物吸引用、該１０４は送風用、該１０５は洗浄水供給用である。
【０００６】
１０６は前記機器収納ボックス１０２内に備えた、前記排泄物受け具１００の汚物吸引口から前記ホース１０３を介して空気と共に洗浄水と排尿・排便からなる汚物を吸引して収容する汚物タンクである。１０７は吸引循環管１０８をもって前記汚物タンク１０６に接続し、該吸引循環管１０８内の気圧を前記汚物タンク１０６内の気圧よりも低い状態として汚物タンク１０６内の気圧との圧力差により汚物タンク１０６からの吸引力を発生させる吸引モータである。また、該吸引モータ１０７は、汚物タンク１０６内の空気を吸引して、途中部に空気浄化フィルタ１１０を備えた吸引循環管１０９に送り出し、該吸引循環管１０９から前記連結ホース１０４に送風するものである。
【０００７】
また、１１１は途中部に送水ポンプ１１２、１１３と、ヒータを備えた温水タンク１１４を設けた洗浄水ホース１１５を接続し、該洗浄水ホース１１５を前記連結ホース１０５を介して前記排泄物受け具１００の洗浄水噴射口に接続する洗浄水タンクである。
【０００８】
また、斯かる介護用排泄物処理装置の作用は、次の通りである。
先ず、要介護者Ｐの股間部に排泄物受け具１００を装着する。そして、排泄物受け具１００の排泄物検知センサ１０１によって排泄物が検知されると、一定時間経過後、送水ポンプ１１３が作動して温水タンク１１４内の適度に加温された洗浄水が洗浄水ホース１１５と連結ホース１０５を介して排泄物受け具１００に送り込まれる。これにより洗浄水噴射口から肛門等に洗浄水を噴射して洗浄し、洗浄後の汚水と排泄物は汚物吸引口へ導かられる。同時に吸引モータ１０７が作動し、排泄物受け具１００の汚物吸引口から連結ホース１０３を介して洗浄後の汚水と排泄物が汚物タンク１０６に吸引される。そして、汚物タンク１０６内の空気は、空気浄化フィルタ１１０によって浄化された後、吸引循環管１０９と連結ホース１０４を介して排泄物受け具１００に送られ、送風吹き出し口から吹き出されて要介護者の股間部を乾燥させるものである。
【０００９】
本発明は、斯かる介護用排泄物処理装置における前記排泄物受け具１００に関するものである。
【００１０】
斯かる排泄物受け具１００に関するものは、従来においても種々案出され、実用に供されている（例えば、特許文献１を参照。）。
【００１１】
しかし、従来における排泄物受け具は、いずれも排泄物受け具と要介護者の股間部との密着性が低く、もって洗浄水を噴射したときに一部が漏れ出したり、横臥している要介護者が身体を動かしたときに汚物や汚水が漏れ出したりする事態を引き起こすことが多かった。
【００１２】
従来の排泄物受け具において要介護者の股間部との密着性が低い理由は、底板部に設けた受け皿状貯留部の開口部と、該底板部から立ち上がる前板部と、該前板部の上部に設けられる蓋部の夫々における漏れ防止構造にある。即ち、これらにおける漏れ防止構造は、図９に示す如く、堤の如くクッション性を有する突条１００Ａを設け、該突条１００Ａを外部から圧力をかけて要介護者の肌Ｐ´に押し付けるものである。
【００１３】
しかし、このように突条１００Ａを単に押し付けただけであると、突条１００Ａは要介護者の肌Ｐ´に単に当接しているに過ぎないと共に、その軸断面は極めて細く、したがって、極めて狭い面積においてしか要介護者の肌Ｐ´に接触していないことなる。そしてまた、このようなことから、要介護者が身体の向きを変えるときにおいて接触部分がずれて微細な隙間ができることもある。
【先行技術文献】
【特許文献】
【００１４】
【特許文献１】特開２０１６−２２３６７号公報
【発明の概要】
【発明が解決しようとする課題】
【００１５】
本発明は上記の点に鑑みなされたものであって、漏れ防止構造として、従来の突条の押し付け構造に代えて粘着力による貼り付け構造となし、ずれずに、隙間なく、且つ特に腹部側においては広い面積にわたって全面的に密着せしめることができるようになして漏れ防止効果を一段と高めた介護用排泄物処理装置における排泄物受け具を提供しようとするものである。
【課題を解決するための手段】
【００１６】
上記課題を解決するため、介護用排泄物処理装置における排泄物受け具であって、装着者の臀部側に位置する底板部と、該底板部から立ち上がる軸断面コ字形の前板部と、該前板部の上端部に接合して一体化され且つ装着者の腹部側に位置する蓋部とを有する排泄物受けカップと、前記排泄物受けカップを装着者の股間部に固定する装着固定部材とを備え、前記底板部は、排泄物を受ける受け皿状貯留部を有し、前記蓋部は、前記底板部より大きい面積を有して前記底板部と対向するシートを含み、前記シートは、装着者の肌に液漏れしないように貼り付く粘着性を有して該装着者の腹部に密着させることができるように構成され、前記装着固定部材は、装着者の臀部から腹部を包み込むに足りる長さ及び幅を有する単一の帯状に成形されたことを特徴とする。
【００１７】
前記装着固定部材における長さ方向の中央部には、装着者の臀部より広い面積を有するパッド部を設けたものとしてもよい。
【００１８】
前記パット部は弾性を有するものとしてもよい。
【００１９】
前記装着固定部材における長さ方向の両端部には、止着位置を変更できる止着部材が設けられたものとしてもよい。
【００２０】
前記パッド部に凹部を設け、該凹部内に前記排泄物受けカップの底板部を着脱自在に固定したものとしてもよい。
【００２１】
前記シートが前記装着固定部材とは別体で形成されたものとしてもよい。
【００２２】
前記装着固定部材は、広げられた状態において、装着の足側が短辺となり、装着者の頭側が前記短辺と平行な長辺となる台形をなすものとしてもよい。
【００２３】
前記蓋部の中央部には、外側に膨出する皿状の膨隆部が形成され、該膨隆部の延出方向の先端部には複数の通気小孔が設けられたものとしてもよい。
【発明の効果】
【００２４】
本発明は上記の如き構成であり、漏れ防止構造として、従来のクッション性を有する突条の押し付け構造に代えて粘着力による貼り付け構造となしたものである。これにより、ずれずに、隙間なく且つ特に腹部側においては広い面積にわたって全面的に密着せしめることができるようになり、漏れ防止効果は一段と高まるものである。
【００２５】
また、粘着力による貼り付け構造である上に、装着者の腹部に被さる蓋部は広い面積を有しているから、装着者の体格に合わせて貼り付ける位置を適宜に変えることもできるものである。
【図面の簡単な説明】
【００２６】
【図１】本発明の実施形態に係る介護用排泄物処理装置における排泄物受け具の斜視図である。
【図２】排泄物受けカップの前面側から看た斜視図である。
【図３】同背面側から看た斜視図である。
【図４】一部切欠して示した装着固定部材の斜視図である。
【図５】装着方法の説明図である。
【図６】装着者の肌に貼り付いた状態の部分拡大断面図である。
【図７】従来における介護用排泄物処理装置の概略的斜視図である。
【図８】従来における介護用排泄物処理装置の概略的構成図である。
【図９】従来の排泄物受け具における漏れ防止構造の説明図である。
【発明を実施するための形態】
【００２７】
以下、本発明を実施するための形態について、図面を参照して説明する。
【００２８】
図中、１は介護用排泄物処理装置における排泄物受け具である。また、該排泄物受け具１は、以下の構成からなるものである。
【００２９】
該排泄物受け具１は、樹脂により一体成型された底板部２及び該底板部２から立ち上がる軸断面コ字形の前板部３と、該前板部３の上端部に接合して一体化される蓋部４とからなる排泄物受けカップ５と、前記排泄物受けカップ５を装着者の股間部に固定する後記装着固定部材とをもって構成される。
【００３０】
また、前記排泄物受けカップ５における底板部２には、排泄物を受ける受け皿状貯留部２Ａを設けると共に、該受け皿状貯留部２Ａに排泄物検知センサ６を設ける。更に、該受け皿状貯留部２Ａの開口部から前記前板部３の縁にかけて、表面に、装着者の肌に液漏れしない程度に貼り付く適度の粘着性を有する漏れ防止用のシリコンゴム７を盛り付ける。
尚、斯かるシリコンゴム７の盛り付けは、帯状のシリコンゴムを接着剤により接着したり、熱により融着したり、或いはシリコンゴムの溶融体を肉厚に塗布し、硬化させる等の適宜の手段でもって行えばよい。また、該シリコンゴム７は、装着者の肌に広い面で接触するように、表面が平坦で且つ適度の幅を有する帯状の形態にすることが望ましい。また、粘着性の程度は、装着者の肌に液漏れしない程度にソフトに貼り付く程度でよく、粘着性が高過ぎると引き剥がすときに装着者の皮膚を強く引っ張り、苦痛を与えることになる。
【００３１】
また、汚物吸引口８と、洗浄水噴射口９と、送風吹き出し口１０を設けた前記前板部３の上端部に接合して一体化される前記蓋部４は、前記底板部２と対向する面に、装着者の肌に液漏れしない程度に貼り付く適度の粘着性を有するシリコンゴムのシートからなり、前記底板部２より大きい面積を有すると共に、中央部には前記前板部３から連続する、外側に膨出する細長い皿状の膨隆部４Ａを形成し、且つ該膨隆部４Ａの延出方向の先端部に複数の通気小孔１１を設けている。尚、前記通気小孔１１は、受け皿状貯留部２Ａ内の汚物の吸引を行う際の負圧により膨隆部４Ａが萎むことを防ぐためのものである。
【００３２】
また、上記の如く、シリコンゴム７の表面と、蓋部４におけるシリコンゴムのシートの底板部２との対向面に粘着性を持たせるには、アクリル系粘着剤を塗布する等の適宜の手段で行えばよい。また、斯かるアクリル系粘着剤の塗布に代えて、自己粘着性を有する粘着性シリコンゴムを用いてもよい。この場合には、上記蓋部４におけるシリコンゴムのシートにおいては、底板部２との対向面と反対側の面に、即ち、外側の面にポリエチレン系の保護フィルムを貼付するものである。尚、片面にのみ自己粘着性を有する粘着性シリコンゴムシートを用いるようにした場合には、斯かる保護フィルムは不要である。
【００３３】
また、前記前板部３の外面側には、汚物吸引用ホースの接続口３Ａと、洗浄水供給用ホースの接続口３Ｂと、送風用ホースの接続口３Ｃ、並びにセンサーコード接続口３Ｄが設けられている。
【００３４】
また、前記装着固定部材１２は、布等の柔軟な素材をもって装着者の臀部から腹部を包み込むに足りる長さを有する帯状となすと共に、長さ方向の両端部に、止着位置を変更できる適宜の止着部材１３を設け、更に、長さ方向の中央部に、装着者の臀部より広い適度の弾性のパッド部１４を設けると共に、該パッド部１４の前端中央部に凹部１４Ａを設け、該凹部１４Ａ内に前記排泄物受けカップ５の底板部２を着脱自在に固定している。
【００３５】
尚、上記止着部材１３としては、面ファスナーが好ましく、装着固定部材１２の長さ方向の一方側の端部にはフック側の面ファスナー１３Ａを、またもう一方の側の端部にはループ側の面ファスナー１３Ｂを縫着している。また、前記パッド部１４の凹部１４Ａ内に排泄物受けカップ５の底板部２を固定する手段としては、面ファスナーを用いる手段が好ましい。そして、装着固定部材１２は前記排泄物受けカップ５とは別体で、夫々を自由に分離することができるから、夫々を切り離して清掃や交換を行うことができるものである。その他、図において１５は連結ホースを纏めて包む補助カバーである。
【００３６】
次に、本実施形態の作用について説明する。
装着するときには、図５に示す手順に従って行う。尚、装着する前に装着者Ｐの陰毛の剃毛を行うことが望ましい。先ず、図５（Ａ）に示す如く、排泄物受けカップ５を装着者Ｐの腰の奥まで押し込む。このとき、受け皿状貯留部２Ａが肛門の真下に位置するようにする。次に、図５（Ｂ）に示す如く、蓋部４を装着者の陰部を包み込むようにセットし、下腹部にフィットさせる。尚、このときには粘着力を利用して行う。そして、最後に、図５（Ｃ）に示す如く、装着固定部材１２を装着者の臀部から腹部にかけて巻き回し、排泄物受けカップ５を固定するものである。そしてまた、その後介護用排泄物処理装置の各機器を作動させ、受け皿状貯留部２Ａ内の排泄物を検知すると前記の通り洗浄、汚物吸引、送風を行うものである。
【００３７】
そして、本実施形態は、上記の如く、漏れ防止構造として、従来のクッション性を有する突条の押し付け構造に代えて粘着力による貼り付け構造となしたものであり、即ち、受け皿状貯留部２Ａの開口部から前板部３の縁にかけて、表面に、装着者の肌に液漏れしない程度に貼り付く適度の粘着性を有する漏れ防止用のシリコンゴム７を盛り付ける一方、蓋部４は、底板部２と対向する面に、装着者の肌に液漏れしない程度に貼り付く適度の粘着性を有するシリコンゴムのシートをもって構成すると共に、その面積を底板部より大きくしたものであるから、これにより、ずれずに、隙間なく、且つ図６に示す如く、特に腹部側においては広い面積にわたって全面的に密着せしめることができるようになり、漏れ防止効果は一段と高まるものである。また、粘着力による貼り付け構造である上に、装着者の腹部に被さる蓋部４は広い面積を有しているから、装着者の体格に合わせて貼り付ける位置を適宜に変えることもできるものである。また、シリコンゴムは耐油性耐水性に優れており、発汗しても変質しにくく、且つ皮膚との馴染みが良好で、発汗による蒸れや汗との接触によるかぶれも起きにくく、更に洗浄や乾燥も容易である。
【符号の説明】
【００３８】
１  排泄物受け具
２  底板部
２Ａ  受け皿状貯留部
３  前板部
３Ａ  汚物吸引用ホースの接続口
３Ｂ  洗浄水供給用ホースの接続口
３Ｃ  送風用ホースの接続口
４  蓋部
４Ａ  膨隆部
５  排泄物受けカップ
６  排泄物検知センサ
７  漏れ防止用のシリコンゴム
８  汚物吸引口
９  洗浄水噴射口
１０  送風吹き出し口
１１  通気小孔
１２  装着固定部材
１３  止着部材
１４  パッド部
１４Ａ  凹部
【図１】
0006357254.tif 000002
【図２】
0006357254.tif 000003
【図３】
0006357254.tif 000004
【図４】
0006357254.tif 000005
【図５】
0006357254.tif 000006
【図６】
0006357254.tif 000007
【図７】
0006357254.tif 000008
【図８】
0006357254.tif 000009
【図９】
0006357254.tif 000010